【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
第１の診断画像と、関心のある状態を示す領域が識別される第２の診断画像とからの情報を含む合成映像を生成する方法であって、前記第１の診断画像及び前記第２の診断画像が位置合わせされ、前記第２の診断画像の前記関心のある状態を示す前記領域が、前記第１の診断画像の同じ領域にマップされることを特徴とする方法。
【請求項２】
前記第２の診断画像の前記関心のある状態を示す前記領域の、前記第１の診断画像の前記同じ領域への前記マッピングは、マスクが、前記第２の診断画像の前記関心のある状態を示す前記領域に関するものとして識別されるピクセルから構成され、前記マスクが、前記第１の診断画像に適用されることを意味することを特徴とする、請求項１に記載の方法。
【請求項３】
前記関心のある状態を示す前記領域が、壊死組織の領域であることを特徴とする、請求項１に記載の方法。
【請求項４】
前記第２の診断画像の増大された取り込みの領域は、ピクセルの強度値が少なくとも閾値である該ピクセルを含む領域であると識別される、請求項１に記載の方法。
【請求項５】
前記第２の診断画像が、増大された取り込みを表すピクセルを含む関心領域を含む、請求項４に記載の方法であって、
前記閾値が、
前記関心領域によって規定されるピクセル値のヒストグラムであって、強度値の第１の有意なピークを示すヒストグラムを計算し、
前記ヒストグラムにローパスフィルタを適用し、
前記ヒストグラムの前記第１の有意なピークの強度値を計算し、
前記第１の有意なピークの偏差値を計算し、
前記第１の有意なピークの前記強度値及び前記偏差値の関数として前記閾値を計算する、
ことによって計算されることを特徴とする方法。
【請求項６】
前記偏差値は、前記ヒストグラムの前記第１の有意なピークの位置値と、前記第１の有意なピークの前記強度値の半分の強度値の位置値との間の絶対差をとることによって計算されることを特徴とする、請求項５に記載の方法。
【請求項７】
前記閾値が、前記第１の有意なピークの前記強度値と、前記偏差値の少なくとも２倍の値、好適には前記偏差値の２．５倍の値との和をとることによって計算されることを特徴とする、請求項５に記載の方法。
【請求項８】
前記第１の診断画像は、初回循環灌流データを表す心臓磁気共鳴画像であり、前記第２の診断画像は、遅延濃染心臓磁気共鳴画像であることを特徴とする、請求項１に記載の方法。
【請求項９】
前記第１の診断画像は、機能データを表す心臓磁気共鳴画像であり、前記第２の診断画像は、遅延濃染心臓磁気共鳴画像であることを特徴とする、請求項１に記載の方法。
【請求項１０】
前記第１の診断画像は、タグ付けされたデータを表す心臓磁気共鳴画像であり、前記第２の診断画像は、遅延濃染心臓磁気共鳴画像であることを特徴とする、請求項１に記載の方法。
【請求項１１】
前記第１の診断画像は、初回循環データを表す超音波画像であり、前記第２の診断画像は、遅延濃染超音波画像であることを特徴とする、請求項１に記載の方法。
【請求項１２】
画像を表示するための命令を含むコンピュータプログラムであって、前記コンピュータプログラムが更に、第１の診断画像及び第２の診断画像からの情報を含む合成映像を生成するための命令を含み、関心のある状態を示す領域が、前記第２の診断画像において識別され、前記第１の診断画像及び前記第２の診断画像が位置合わせされ、前記第２の診断画像の前記関心のある状態を示す前記領域が、前記第１の診断画像の同じ領域にマップされることを特徴とする、コンピュータプログラム。
【請求項１３】
画像を表示する目的で構成されるワークステーションであって、前記ワークステーションが更に、第１の診断画像及び第２の診断画像からの情報を含む合成映像を生成するための命令を含み、関心のある状態を示す領域が、前記第２の診断画像において識別され、前記第１の診断画像及び前記第２の診断画像が位置合わせされ、前記第２の診断画像の前記関心のある状態を示す前記領域が、前記第１の診断画像の同じ領域にマップされることを特徴とする、ワークステーション。
【手続補正２】
【補正対象書類名】明細書
【補正対象項目名】０００１
【補正方法】変更
【補正の内容】
【０００１】
本発明は、第１の診断画像と、関心のある状態を示す領域が識別される第２の診断画像とからの情報を含む合成映像を生成する方法に関する。
【手続補正３】
【補正対象書類名】明細書
【補正対象項目名】０００５
【補正方法】変更
【補正の内容】
【０００５】
これは、本発明によって、第１の診断画像及び第２の診断画像が位置合わせされ、第２の診断画像の関心のある状態を示す領域が、第１の診断画像の同じ領域にマップされることを特徴とする方法によって達成される。
【手続補正４】
【補正対象書類名】明細書
【補正対象項目名】００１３
【補正方法】変更
【補正の内容】
【００１３】
本発明は、特に心筋の壊死領域が特に良好に認識できるような態様で、それら心筋の壊死領域が描画される初回循環灌流画像を提供する。関心のある状態を表す領域である壊死領域を表すのは、第２の診断画像、このケースでは遅延濃染画像内の領域である。これらの領域は、第１の診断画像、このケースでは初回循環灌流画像にマップされる。
【手続補正５】
【補正対象書類名】明細書
【補正対象項目名】００１９
【補正方法】変更
【補正の内容】
【００１９】
本発明の実施例は、虚血性心疾患の解析への適用に関して説明されているが、本発明は更に、薬剤が使用される場合のイメージングの他の分野にも適用可能である。本発明は、イメージングのために使用される薬剤の薬物動態がなんらかの病理学的プロセスの下で壊れ、その破壊が、別の薬剤の薬物動態を使用して診断され又は予測されることができるときはいつも、有利に使用されることができる。破壊を起こす病状又はさもなければ第１の薬剤の変化された薬物動態は、第２の薬剤によって示される関心のある状態である。関心のあるこの状態を示すこのイメージング情報の、第１の薬剤の画像上へのマッピングは、この画像に、極めて重要な情報を付加する。上述の方法は、第１の薬剤の薬物動態学的破壊が隠れており、又はその第１の薬剤単独の画像を使用して検証するのが困難である場合、特に有用である。
【手続補正６】
【補正対象書類名】明細書
【補正対象項目名】００２１
【補正方法】変更
【補正の内容】
【００２１】
コンピュータプログラムは、それが、第１の診断画像及び第２の診断画像からの情報を含む合成映像を生成するための命令を含み、関心のある状態を示す領域が、第２の診断画像において識別され、第１の診断画像及び第２の診断画像が位置合わせされ、第２の診断画像において関心のある状態を示す領域が、第１の診断画像の同じ領域にマップされることによって特徴付けられ、本発明を実施することができるという利点をもつ。
【手続補正７】
【補正対象書類名】明細書
【補正対象項目名】００２３
【補正方法】変更
【補正の内容】
【００２３】
ワークステーションは、それが、第１の診断画像及び第２の診断画像からの情報を含む合成映像を生成するための命令を含み、関心のある状態を示す領域が、第２の診断画像において識別され、第１の診断画像及び第２の診断画像が位置合わせされ、第２の診断画像において関心のある状態を示す領域が、第１の診断画像の同じ領域にマップされることによって特徴付けられ、本発明を実施することができるという利点をもつ。